(57)【要約】【課題】スケータの乗り心地の改善を図る。【解決手段】操作者Ｍが足１５をのせることができるデッキ１と、前輪２および後輪３と、前輪２を操舵するためのハンドル８とを備えたスケータである。デッキ１には、操作者Ｍがつま先１７をのせることができる凸部１４が設けられている。【選択図】図３
2014004185.tif 000002
【特許請求の範囲】
【請求項１】
操作者が足をのせることができるデッキと、前輪および後輪と、前記前輪を操舵するためのハンドルとを備えたスケータであって、前記デッキに、操作者がつま先をのせることができる凸部が設けられていることを特徴とするスケータ。
【請求項２】
凸部は前上がりに傾斜したものであることを特徴とする請求項１記載のスケータ。
【発明の詳細な説明】
【技術分野】
【０００１】
本発明はスケータに関し、特に、操作者が足をのせることができるデッキと、前輪および後輪と、前記前輪を操舵するためのハンドルとを備えたスケータに関する。
【背景技術】
【０００２】
この種のスケータにおいては、操作者がデッキに片足または両足をのせ、立った姿勢で片手または両手でハンドルを操作することで前輪を操舵しながら、地面をキックすることにもとづく反動によって、スケータを前進させることができる（特許文献１）。
【先行技術文献】
【特許文献】
【０００３】
【特許文献１】特開２０１０−２７３９０４号公報
【発明の概要】
【発明が解決しようとする課題】
【０００４】
本発明は、このような従来のスケータの乗り心地の改善を図ることを目的とする。
【課題を解決するための手段】
【０００５】
この目的を達成するため本発明は、操作者が足をのせることができるデッキと、前輪および後輪と、前記前輪を操舵するためのハンドルとを備えたスケータにおいて、前記デッキに、操作者がつま先をのせることができる凸部を設けたものである。
【０００６】
本発明によれば、凸部は、前上がりに傾斜したものであることが好適である。
【発明の効果】
【０００７】
本発明によれば、スケータのデッキに、操作者がつま先をのせることができる凸部を設けたことにより、操作者が身体を安定させた状態でスケータに乗ることができ、従来のスケータに比べてその乗り心地を改善することができる。
【図面の簡単な説明】
【０００８】
【図１】本発明の実施の形態のスケータの側面図である。
【図２】図１のスケータの要部を拡大して示す立体図である。
【図３】操作者が本発明の実施の形態のスケータに乗ったときの姿勢を示す図である。
【図４】操作者が従来のスケータに乗ったときの姿勢を示す図である。
【図５】本発明の他の実施の形態のスケータの要部を拡大して示す立体図である。
【発明を実施するための形態】
【０００９】
図１のスケータにおいて、１はデッキであり、平面視で細長い矩形状を呈する板材などによって形成されている。２は前輪、３は後輪であり、図１においては、２輪のスケータが例示されている。すなわち、図１のスケータでは、前輪２、後輪３は、それぞれ１輪である。なお、前輪２、後輪３は、２輪以上であっても差し支えない。
【００１０】
４はハンドル支持部材であって、デッキ１の前端部に取り付けられるとともに、ハンドルポスト５をその軸心まわりに回転自在に支持している。ハンドルポスト５の下端には、回転自在な前輪２が支持されている。ハンドルポスト５の上部は筒状に形成されており、この筒状の部分６には伸縮軸７が軸心方向にスライド自在にはめ込まれている。そして伸縮軸７の上端にハンドル８が取り付けられている。９はハンドルバーである。
【００１１】
ハンドルポスト５の上端には、ロック装置１０が設けられている。このロック装置１０は、伸縮軸７を固定して、その伸縮を阻止可能であるとともに、伸縮軸７をハンドルポスト５と一体に回転させることが可能である。またロック装置１０は、ハンドルポスト５への伸縮軸７の固定を解除して、その伸縮を許容させることができる。固定を解除して伸縮軸７を伸縮させることで、操作者の身長に合わせてハンドル８の高さを調整可能である。
【００１２】
デッキ１の後端には、回転自在な後輪３が支持されている。１１は後輪用のどろよけであり、後輪３よりも前側の位置でデッキ１に片持ち支持されている。１２はその支持点である。どろよけ１１は、支持点１２に設けられたねじりばね（図示せず）などによって、後輪３から浮き上がった状態に保たれている。その浮き上がり力に抗して操作者がどろよけ１１を踏み込むと、どろよけ１１の内面が後輪３の外周の踏面を圧接し、それによって後輪３にブレーキを掛けることができる。
【００１３】
図１および図２に示すように、デッキ１の上面の前部には、凸部１４が設けられている。この凸部１４は、たとえばブロック状の部材をデッキ１の上面に固定することによって、形成することができる。
【００１４】
図３に示すようにスケータの操作者Ｍは、デッキ１の上に足１５をのせることで、立ち姿勢でデッキ１に乗ることができ、両方の手１６でハンドルバー９を握った状態で、スケータを走行させることができる。そのとき、図示のように、足１５のかかとの部分はデッキ１にのせたままで、そのつま先１７を持ち上げて凸部１４にのせることで、操作者Ｍは、身体を安定させた状態でスケータに乗ることができる。
【００１５】
その理由は明らかではないが、つま先１７を凸部１４にのせることで、身体の重心を後方側へ移すことができることが原因しているのではないかと思われる。反対に図４に示す従来のスケータのように凸部が設けられていないものであると、足１５の靴底の全面がデッキ１に接するため、操作者Ｍはのスケータの操作中に前かがみとなりやすく、すなわち身体の重心が前方へ移りやすく、このために、図３に示されるように凸部１４につま先１７をのせた場合に比べて身体の安定度が低いのではないかと思われる。なお、図３および図４は、操作者Ｍが左足１８のみをデッキ１にのせ、右足１９はデッキ１から浮かせた状態でスケータを操作している状態を示す。
【００１６】
凸部１４は、操作者Ｍがつま先１７をのせて身体を安定させることができるものであれば、その構造、形状は任意である。しかし、図１および図２に示すように、つま先１７をのせる部分が前上がりに傾斜したものが、つま先１７をのせやすく、好適である。凸部１４の傾斜は、図示のようにデッキ１の上面から続いて形成されたものとすることができる。あるいは、図示は省略するが、デッキ１の上面から一段上がった部分から傾斜が始まるようにすることもできる。
【００１７】
図１および図２に示すブロック状の凸部１４は、合成樹脂やゴムなどによって形成することができる。あるいは、これに代えて、凸部１４を、たとえば図５に示す金属製の板状体にて構成することもできる。図５の凸部１４において、２０、２１は取付部で、デッキ１の上面に接することができる一定の面積を有した構成とされている。取付部２０、２１をデッキ１にねじ止めすることなどによって、凸部１４をデッキ１に固定することができる。
【符号の説明】
【００１８】
１    デッキ
２    前輪
３    後輪
８    ハンドル
１５    足
１４    凸部
１７    つま先
Ｍ    操作者
【図１】
2014004185.tif 000003
【図２】
2014004185.tif 000004
【図３】
2014004185.tif 000005
【図４】
2014004185.tif 000006
【図５】
2014004185.tif 000007